(57)【要約】  コンテンツ処理装置（１０）は、ユーザによって選択された第１のソースから視聴中コンテンツを取得し、第１のソースと異なる第２のソースから視聴候補コンテンツを取得するコンテンツ取得部（１３）と、少なくとも視聴中コンテンツを出力するコンテンツ出力部（１５）と、視聴中コンテンツに興味を持っていると推定されるユーザを検知する検知部（１１）と、検知部（１１）によって視聴中コンテンツに興味を持っていると推定されるユーザが検知されない時間が長くなると、コンテンツ出力部（１５）から出力される視聴候補コンテンツの情報量を増加させる制御部（１２）とを備える。
2011152014.tif 000002
【特許請求の範囲】
【請求項１】
コンテンツを出力するコンテンツ処理装置であって、
ユーザによって選択された第１のソースから視聴中コンテンツを取得し、前記第１のソースと異なる第２のソースから視聴候補コンテンツを取得するコンテンツ取得部と、
少なくとも前記視聴中コンテンツを出力するコンテンツ出力部と、
前記視聴中コンテンツに興味を持っていると推定されるユーザを検知する検知部と、
前記検知部によって前記視聴中コンテンツに興味を持っていると推定されるユーザが検知されない時間が長くなると、前記コンテンツ出力部から出力される前記視聴候補コンテンツの情報量を増加させる制御部とを備える
コンテンツ処理装置。
【請求項２】
前記検知部は、ユーザからの入力操作を検知することによって、前記視聴中コンテンツに興味を持っていると推定されるユーザを検知する入力操作検知部を含み、
前記制御部は、所定の時間、前記入力操作検知部でユーザからの入力操作が検知されなかった場合に、前記コンテンツ出力部から出力される前記視聴候補コンテンツの情報量を増加させる
請求項１に記載のコンテンツ処理装置。
【請求項３】
前記検知部は、さらに、前記視聴中コンテンツが終了するタイミングを検知するコンテンツ情報検知部を含み、
前記制御部は、所定の時間、前記入力操作検知部でユーザからの入力操作が検知されなかった場合において、前記コンテンツ情報検知部で取得された前記視聴中コンテンツが終了するタイミングで、前記コンテンツ出力部から出力される前記視聴候補コンテンツの情報量を増加させる
請求項２に記載のコンテンツ処理装置。
【請求項４】
前記検知部は、該コンテンツ処理装置の周辺に存在するユーザを検出することによって、前記視聴中コンテンツに興味を持っていると推定されるユーザを検知するユーザ検知部を含み、
前記制御部は、所定の時間、前記ユーザ検知部でユーザの存在が検出されなかった場合に、前記コンテンツ出力部から出力される前記視聴候補コンテンツの情報量を増加させる
請求項１に記載のコンテンツ処理装置。
【請求項５】
前記コンテンツ取得部は、複数の前記視聴候補コンテンツを取得し、
前記制御部は、前記検知部によって前記視聴中コンテンツに興味を持っていると推定されるユーザが検知されない時間が長くなる程、前記コンテンツ出力部から出力される前記視聴候補コンテンツの数を段階的に増加させる
請求項１〜４のいずれか１項に記載のコンテンツ処理装置。
【請求項６】
前記コンテンツ出力部は、前記コンテンツに含まれる映像データを表示する表示部と、前記コンテンツに含まれる音声データを出力する音声出力部とを含み、
前記制御部は、前記視聴候補コンテンツに含まれる映像データを表示する前記表示部上の表示面積、又は前記視聴候補コンテンツに含まれる音声データを前記音声出力部から出力するか否かを制御する
請求項１〜５のいずれか１項に記載のコンテンツ処理装置。
【請求項７】
前記制御部は、前記表示部上に表示される映像データの表示面積が最も大きいコンテンツに含まれる音声データを、前記音声出力部から出力させる
請求項６に記載のコンテンツ処理装置。
【請求項８】
前記コンテンツ取得部は、前記視聴中コンテンツに含まれるメタ情報に基づいて、取得すべき前記視聴候補コンテンツを選択する
請求項１〜７のいずれか１項に記載のコンテンツ処理装置。
【請求項９】
コンテンツを出力するコンテンツ処理装置であって、
ユーザによって選択された第１のソースから視聴中コンテンツを取得し、前記第１のソースと異なる第２のソースから視聴候補コンテンツを取得するコンテンツ取得部と、
少なくとも前記視聴中コンテンツを出力するコンテンツ出力部と、
ユーザからの入力操作を検知する入力操作検知部と、
所定の時間、前記入力操作検知部でユーザからの入力操作が検知されなかった場合に、前記コンテンツ出力部から出力される前記視聴候補コンテンツの情報量を増加させる制御部とを備える
コンテンツ処理装置。
【請求項１０】
コンテンツを出力するコンテンツ処理装置であって、
ユーザによって選択された第１のソースから視聴中コンテンツを取得し、前記第１のソースと異なる第２のソースから視聴候補コンテンツを取得するコンテンツ取得部と、
少なくとも前記視聴中コンテンツを出力するコンテンツ出力部と、
該コンテンツ処理装置の周辺に存在するユーザを検出するユーザ検知部と、
所定の時間、前記ユーザ検知部でユーザの存在が検出されなかった場合に、前記コンテンツ出力部から出力される前記視聴候補コンテンツの情報量を増加させる制御部とを備える
コンテンツ処理装置。
【請求項１１】
請求項１〜１０のいずれか１項に記載のコンテンツ処理装置を備えるテレビジョン受像機であって、
前記コンテンツ取得部は、
放送波を通じてコンテンツを取得する放送受信部と、
通信ネットワークを通じてコンテンツを取得するネットワークコンテンツ受信部とを含む
テレビジョン受像機。
【請求項１２】
コンテンツを出力するコンテンツ処理方法であって、
ユーザによって選択された第１のソースから視聴中コンテンツを取得し、前記第１のソースと異なる第２のソースから視聴候補コンテンツを取得するコンテンツ取得ステップと、
少なくとも前記視聴中コンテンツを出力するコンテンツ出力ステップと、
前記視聴中コンテンツに興味を持っていると推定されるユーザを検知する検知ステップと、
前記検知ステップによってユーザが検知されない時間が長くなると、前記コンテンツ出力ステップで出力される前記視聴候補コンテンツの情報量を増加させる制御ステップとを含む
コンテンツ処理方法。
【発明の詳細な説明】
【技術分野】
【０００１】
本発明は、複数のコンテンツを受信可能なコンテンツ処理装置の出力制御方法に関するものである。
【背景技術】
【０００２】
近年、通信網の発展によりインターネットを介してＨＤＴＶ（Ｈｉｇｈ  Ｄｅｆｉｎｉｔｉｏｎ  ＴｅｌｅＶｉｓｉｏｎ：高精細テレビジョン）等の画像を含むマルチメディア情報を、様々な配信サービスを通じて家庭やオフィスで気軽に視聴できる環境が普及してきている。インターネットに接続可能なＴＶでは、上記のマルチメディア情報を取得して視聴を楽しむことが可能である。さらに、近年では、ユーザが視聴する時点において、放送局が予め決定した番組のみを視聴又は録画する従来の形態に加え、視聴者が好むものを任意のタイミングで選択し、インターネットを介して視聴又は録画することが出来る映像音声サービス（番組配信サービス）が開始されている。そこで、従来のＴＶ放送以外のコンテンツをユーザが簡単に視聴できる装置の開発が期待される。
【先行技術文献】
【特許文献】
【０００３】
【特許文献１】特開２００５−３３３５２４号公報
【発明の概要】
【発明が解決しようとする課題】
【０００４】
特許文献１には、複数のチューナを使用して複数の番組を受信することにより、複数の番組を１つのディスプレイに表示するマルチ画面表示可能な装置に対して、マルチ画面のうち見ている時間などに応じてディスプレイに映し出される各番組の表示の割合を、変更することができる番組選択支援装置及び番組選択支援プログラムが開示されている。【０００５】
しかしながら、この方法は、マルチ画面表示されていることが前提で、マルチ画面の各々の表示領域を時間の経過と共に変更させるものである。このため、視聴者が視聴したい画面が予め決まっている場合には、視聴しない子画面は小さいとはいえ常に画面上に表示されるため、視聴の妨げとなるという問題点がある。【０００６】
特に、前例では、従来のＴＶ放送とＴＶ放送以外のコンテンツとを合わせてユーザに提供する方法については考慮されておらず、例えば、ユーザが選択していないＴＶ放送以外のコンテンツを常に出力する方法では、通常のＴＶ放送の視聴サイズが小さくなり、視聴の妨げとなるという問題がある。【０００７】
本発明は、上述した課題を解決するためになされたもので、ユーザのＴＶに対する関心度を考慮し、視聴の妨げを軽減できる形態で自動的に複数のコンテンツの情報量を変更して出力することができるコンテンツ処理装置を提供することを目的とする。
【課題を解決するための手段】
【０００８】
本発明の一形態に係るコンテンツ処理装置は、コンテンツを出力する。具体的には、ユーザによって選択された第１のソースから視聴中コンテンツを取得し、前記第１のソースと異なる第２のソースから視聴候補コンテンツを取得するコンテンツ取得部と、少なくとも前記視聴中コンテンツを出力するコンテンツ出力部と、前記視聴中コンテンツに興味を持っていると推定されるユーザを検知する検知部と、前記検知部によって前記視聴中コンテンツに興味を持っていると推定されるユーザが検知されない時間が長くなると、前記コンテンツ出力部から出力される前記視聴候補コンテンツの情報量を増加させる制御部とを備える。【０００９】
上記構成によれば、ユーザが検知されない時間によって、視聴中コンテンツに対するユーザの関心度を推定する。具体的には、検出されない時間が長くなる程、関心度が低いと判断し、視聴中コンテンツと異なる視聴候補コンテンツの情報量を増加させる。これにより、ユーザに対して他のコンテンツを視聴させるきっかけを提供することができる。【００１０】
また、前記検知部は、ユーザからの入力操作を検知することによって、前記視聴中コンテンツに興味を持っていると推定されるユーザを検知する入力操作検知部を含んでもよい。そして、前記制御部は、所定の時間、前記入力操作検知部でユーザからの入力操作が検知されなかった場合に、前記コンテンツ出力部から出力される前記視聴候補コンテンツの情報量を増加させてもよい。【００１１】
さらに、前記検知部は、前記視聴中コンテンツが終了するタイミングを検知するコンテンツ情報検知部を含んでもよい。そして、前記制御部は、所定の時間、前記入力操作検知部でユーザからの入力操作が検知されなかった場合において、前記コンテンツ情報検知部で取得された前記視聴中コンテンツが終了するタイミングで、前記コンテンツ出力部から出力される前記視聴候補コンテンツの情報量を増加させてもよい。これにより、視聴中コンテンツの途中で画面又は音声が切り替わるのを防止できるので、ユーザの視聴を妨げるのを防止することができる。【００１２】
また、前記検知部は、該コンテンツ処理装置の周辺に存在するユーザを検出することによって、前記視聴中コンテンツに興味を持っていると推定されるユーザを検知するユーザ検知部を含んでもよい。そして、前記制御部は、所定の時間、前記ユーザ検知部でユーザの存在が検出されなかった場合に、前記コンテンツ出力部から出力される前記視聴候補コンテンツの情報量を増加させてもよい。【００１３】
また、前記コンテンツ取得部は、複数の前記視聴候補コンテンツを取得してもよい。そして、前記制御部は、前記検知部によって前記視聴中コンテンツに興味を持っていると推定されるユーザが検知されない時間が長くなる程、前記コンテンツ出力部から出力される前記視聴候補コンテンツの数を段階的に増加させてもよい。これにより、ユーザの関心度の低下に従って、数多くの選択肢（視聴候補コンテンツ）をユーザに提供することができる。【００１４】
また、前記コンテンツ出力部は、前記コンテンツに含まれる映像データを表示する表示部と、前記コンテンツに含まれる音声データを出力する音声出力部とを含んでもよい。そして、前記制御部は、前記視聴候補コンテンツに含まれる映像データを表示する前記表示部上の表示面積、又は前記視聴候補コンテンツに含まれる音声データを前記音声出力部から出力するか否かを制御してもよい。【００１５】
また、前記制御部は、前記表示部上に表示される映像データの表示面積が最も大きいコンテンツに含まれる音声データを、前記音声出力部から出力させてもよい。【００１６】
また、前記コンテンツ取得部は、前記視聴中コンテンツに含まれるメタ情報に基づいて、取得すべき前記視聴候補コンテンツを選択してもよい。これにより、ユーザが興味を示すような視聴候補コンテンツを取得することができる。【００１７】
本発明の他の形態に係るコンテンツ処理装置は、コンテンツを出力する。具体的には、ユーザによって選択された第１のソースから視聴中コンテンツを取得し、前記第１のソースと異なる第２のソースから視聴候補コンテンツを取得するコンテンツ取得部と、少なくとも前記視聴中コンテンツを出力するコンテンツ出力部と、ユーザからの入力操作を検知する入力操作検知部と、所定の時間、前記入力操作検知部でユーザからの入力操作が検知されなかった場合に、前記コンテンツ出力部から出力される前記視聴候補コンテンツの情報量を増加させる制御部とを備える。【００１８】
本発明のさらに他の形態に係るコンテンツ処理装置は、コンテンツを出力する。具体的には、ユーザによって選択された第１のソースから視聴中コンテンツを取得し、前記第１のソースと異なる第２のソースから視聴候補コンテンツを取得するコンテンツ取得部と、少なくとも前記視聴中コンテンツを出力するコンテンツ出力部と、該コンテンツ処理装置の周辺に存在するユーザを検出するユーザ検知部と、所定の時間、前記ユーザ検知部でユーザの存在が検出されなかった場合に、前記コンテンツ出力部から出力される前記視聴候補コンテンツの情報量を増加させる制御部とを備える。【００１９】
本発明の一形態に係るテレビジョン受像機は、上記に記載のコンテンツ処理装置を備える。そして、前記コンテンツ取得部は、放送波を通じてコンテンツを取得する放送受信部と、通信ネットワークを通じてコンテンツを取得するネットワークコンテンツ受信部とを含む。【００２０】
本発明の一形態に係るコンテンツ処理方法は、コンテンツを出力する方法である。具体的には、ユーザによって選択された第１のソースから視聴中コンテンツを取得し、前記第１のソースと異なる第２のソースから視聴候補コンテンツを取得するコンテンツ取得ステップと、少なくとも前記視聴中コンテンツを出力するコンテンツ出力ステップと、前記視聴中コンテンツに興味を持っていると推定されるユーザを検知する検知ステップと、前記検知ステップによって前記視聴中コンテンツに興味を持っていると推定されるユーザが検知されない時間が長くなると、前記コンテンツ出力ステップで出力される前記視聴候補コンテンツの情報量を増加させる制御ステップとを含む。
【発明の効果】
【００２１】
本発明によれば、ユーザの視聴状態を考慮した上で、複数のコンテンツの出力状態を自動で切替えて提供することが可能となる。
【図面の簡単な説明】
【００２２】
【図１】図１は、実施の形態１に係るコンテンツ処理装置の概要を説明するためのブロック図である。
【図２】図２は、実施の形態１に係るコンテンツ処理装置の画面の状態遷移を実施する方法を示すフローチャートである。
【図３】図３は、実施の形態１に係るコンテンツ処理装置が状態遷移に基づいて出力する画面の一例を示す図である。
【図４】図４は、実施の形態１に係るコンテンツ処理装置が状態遷移に基づいて出力する画面の遷移の一例を示す図である。
【図５】図５は、実施の形態１に係るコンテンツ処理装置が状態遷移に基づいて出力する画面の遷移の一例を示す図である。
【図６】図６は、実施の形態１の変形例に係るコンテンツ処理装置が状態遷移に基づいて出力する画面及び音声の一例を示す図である。
【図７】図７は、実施の形態１の変形例に係るコンテンツ処理装置が状態遷移に基づいて出力する画面及び音声の遷移の一例を示す図である。
【図８】図８は、実施の形態２に係るコンテンツ処理装置の概要を説明するためのブロック図である。
【図９】図９は、実施の形態２に係るコンテンツ処理装置の状態遷移を実施する方法を示すフローチャートである。
【図１０】図１０は、実施の形態３に係るコンテンツ処理装置の概要を説明するためのブロック図である。
【図１１】図１１は、コンテンツ処理装置が状態遷移に基づいて出力する画面のその他の例を示す図である。
【図１２】図１２は、コンテンツ処理装置が状態遷移に基づいて出力する画面のその他の例を示す図である。
【図１３】図１３は、テレビジョン受像機及びＢＤレコーダの概観図である。
【発明を実施するための形態】
【００２３】
以下、本発明を実施するための具体的な形態について、図面を参照しながら説明する。
【００２４】
（実施の形態１）
図１は、実施の形態１に係るコンテンツ処理装置１０の概要を説明するためのブロック図である。図１において、コンテンツ処理装置１０は、検知部１１と、制御部１２と、コンテンツ取得部１３と、送受信部１４と、コンテンツ出力部１５と、映像音声処理部１６とを備える。
【００２５】
このコンテンツ処理装置１０の具体例は特に限定されないが、例えば、図１３に示されるようなテレビジョン受像機（以下、「ＴＶ」と表記する）１であってもよいし、図１３に示されるようなＢＤ（Ｂｌｕ−ｒａｙ  Ｄｉｓｃ）レコーダ２（若しくは、ＤＶＤ（Ｄｉｇｉｔａｌ  Ｖｅｒｓａｔｉｌｅ  Ｄｉｓｃ）レコーダ）であってもよい。
【００２６】
検知部１１は、各種情報を検知するものであって、実施の形態１においてはコンテンツ処理装置１０に対するユーザからの入力操作を検知することによって、当該ユーザを視聴中コンテンツに興味を持っていると推定されるユーザであると検知するための入力操作検知部１１１を含む。
【００２７】
入力操作検知部１１１は、典型的には、ユーザのリモコン操作を検知する。すなわち、入力操作検知部１１１は、ユーザによるリモコン操作の内容を含むリモコン操作信号を、当該リモコンから受信する。検知部１１は、入力操作検知部１１１で検知したリモコン操作信号を制御部１２に通知する。当然ながら、ここで記載したリモコン操作信号は、当該コンテンツ処理装置１０に付属のリモコンからの信号に限定されるものではなく、例えば、スマートフォン等からの操作信号やユニバーサルリモコンからの操作信号など、ＴＶ等の機器を操作可能な機器からの操作信号であれば、どのようなものでも構わない。
【００２８】
また、入力操作検知部１１１が検知するのは、リモコン操作に限定されない。例えば、コンテンツ処理装置１０の本体に取り付けられているボタン又はスイッチの操作を検出するものであってもよい。
【００２９】
ここで、入力操作検知部１１１が検知するリモコン操作は、例えば、チャンネルの変更指示、ボリュームの変更指示、及びデータ放送を受信している場合において、視聴中コンテンツに連動した情報の表示指示等である。そして、検知部１１は、入力操作検知部１１１で検知されたこれらの操作によって、ユーザが視聴中コンテンツに興味を持っているか否かを推定する。
【００３０】
例えば、リモコン操作の内容がボリュームを上げる指示である場合、又は視聴中コンテンツに連動した情報の表示指示である場合、検知部１１は、ユーザが視聴中コンテンツに興味を持っていると推定することができる。
【００３１】
また、リモコン操作の内容がチャンネルの変更指示である場合、検知部１１は、ユーザが変更後のチャンネルから提供されるコンテンツに興味を持っていると推定することができる。特に、ユーザがチャンネルを頻繁に切替えている（ザッピング）場合、検知部１１は、ユーザがザッピング終了時のチャンネル、すなわち、最終的に選択されたチャンネルから提供されるコンテンツに興味を持っていると推定することができる。
【００３２】
制御部１２は、検知部１１からの通知に基づいて、コンテンツ出力部１５を制御する。具体的には、制御部１２は、コンテンツ処理装置１０のＳＴＣ（Ｓｙｓｔｅｍ  Ｔｉｍｅ  Ｃｌｏｃｋ）等に基づいて所定の時間を計測するためのタイマ部１２１と、検知部１１から通知されるユーザからのリモコン操作信号とタイマ部１２１の時間情報とに基づいて、コンテンツ出力部１５の状態の変更及び管理を行う状態管理部１２２と、状態管理部１２２で管理さている状態に従って映像音声処理部１６を制御するための制御情報を出力する表示／音声制御部１２３とを含む。
【００３３】
コンテンツ取得部１３は、互いに異なる複数のソースそれぞれからコンテンツを取得する。具体的には、コンテンツ取得部１３は、放送波を通じてＴＶ放送コンテンツを取得する放送受信部１３１と、通信ネットワークを通じてＮＷ（ネットワーク）コンテンツを取得するＮＷコンテンツ受信部１３２とを備える。
【００３４】
放送受信部１３１は、テレビ放送を受信するためのチューナを含み、チューナから受信した放送信号をデジタル信号に復調し、処理すべき音声データ、映像データ、文字データ、又は番組説明データ等を、復調信号から分離又は抽出する。
【００３５】
ＮＷコンテンツ受信部１３２は、通信ネットワークに接続されてデータの送受信を行なう送受信部１４を介して、通信ネットワークから取得可能なコンテンツの受信処理を行い、処理すべき音声データ、又は映像データ等を、受信したコンテンツから分離又は抽出する。
【００３６】
上記構成のコンテンツ取得部１３は、複数のコンテンツを取得する。そして、コンテンツ取得部１３が取得するコンテンツは、視聴中コンテンツと、視聴候補コンテンツとに分類される。
【００３７】
視聴中コンテンツとは、ユーザによって選択された第１のソースから取得されたコンテンツである。例えば、ユーザがＴＶのチャンネルを８ｃｈに設定した場合、８ｃｈが第１のソースであり、８ｃｈに対応する放送局から取得したコンテンツが視聴中コンテンツとなる。また、ユーザがＴＶの電源を「ＯＮ」した時にデフォルトで設定されているチャンネル（通常は、電源を「ＯＦＦ」する直前に設定されていたチャンネル）についても、「ユーザによって選択された第１のソース」に含めるものとする。
【００３８】
一方、視聴候補コンテンツとは、第１のソースとは異なる第２のソースから取得されたコンテンツである。例えば、コンテンツ取得部１３が独自に選択したコンテンツであってもよい。例えば、コンテンツ取得部１３は、視聴中コンテンツに含まれるメタ情報を取得し、当該メタ情報に基づいて、視聴中コンテンツに関連のある視聴候補コンテンツを選択してもよい。
【００３９】
第１及び第２のソースとは、視聴中コンテンツ及び視聴候補コンテンツ（以下、これらを総称して「コンテンツ」と表記する）の送信元を指す。通常、第１のソースは１つであるのに対して、第２のソースは１つであってもよいし、複数であってもよい。
【００４０】
一例として、第１のソースが放送局である場合、放送受信部１３１が放送波を通じて当該放送局から視聴中コンテンツを取得することになる。また、第２のソースが通信ネットワークに接続されたコンテンツサーバである場合、ＮＷコンテンツ受信部１３２が当該コンテンツサーバから視聴候補コンテンツを取得することになる。
【００４１】
他の例として、第１のソースが８ｃｈに対応する放送局であり、第２のソースが４ｃｈ、６ｃｈ、１０ｃｈに相当する放送局である場合、放送受信部１３１が８ｃｈに対応する放送局から視聴中コンテンツを取得し、４ｃｈ、６ｃｈ、１０ｃｈに対応する放送局それぞれから視聴候補コンテンツを取得することになる。
【００４２】
さらに他の例として、第１のソースが通信ネットワークに接続されているコンテンツサーバであり、第２のソースがホームネットワークに接続されているＢＤレコーダである場合、ＮＷコンテンツ受信部１３２は、当該コンテンツサーバから視聴中コンテンツを取得し、ＢＤレコーダから視聴候補コンテンツを取得する。
【００４３】
なお、上記の例は一例であり、これに限定されないことは言うまでもない。つまり、上記の例の組み合わせを変更してもよいし、さらに他のソースからコンテンツを取得してもよい。
【００４４】
なお、図１ではＴＶ放送コンテンツ以外のコンテンツを通信ネットワーク経由で取得する例を説明するが、上記に限定されるものではなく、ＴＶ放送コンテンツ以外のコンテンツあれば、どのようなものを使用しても構わない。すなわち、ＴＶ放送コンテンツ以外のコンテンツとしては、過去にＴＶで放送された番組の再配信、ＢＤレコーダ又はＤＶＤレコーダ等に記録されたコンテンツ、又はＴＶ放送コンテンツのメタ情報から検索された関連コンテンツ等のコンテンツなど、視聴中のＴＶ放送コンテンツ以外のあらゆるコンテンツが該当する。
【００４５】
なお、以降の説明では、放送受信部１３１がユーザによって選択された第１のソースから視聴中コンテンツを取得し、ＮＷコンテンツ受信部１３２が第１のソースと異なる第２のソースから視聴候補コンテンツを取得する。但し、放送受信部１３１が視聴候補コンテンツを取得し、ＮＷコンテンツ受信部１３２が視聴中コンテンツを取得してもよいことは言うまでもない。
【００４６】
コンテンツ出力部１５は、制御部１２及び映像音声処理部１６等の制御に従って、コンテンツ（少なくとも視聴中コンテンツ）を出力する。具体的には、コンテンツ出力部１５は、コンテンツに含まれる映像データを表示する表示部１５１と、コンテンツに含まれる音声データを出力する音声出力部１５２とを備える。但し、コンテンツ出力部１５の具体例はこれらに限定されない。例えば、コンテンツ処理装置１０がＢＤレコーダ等の場合、コンテンツ出力部１５は、コンテンツを示す信号を出力するものであってもよい。
【００４７】
映像音声処理部１６は、制御部１２の表示／音声制御部１２３から取得する情報に基づいて、放送受信部１３１で取得されたＴＶ放送コンテンツとＮＷコンテンツ受信部１３２で取得されたＮＷコンテンツとを処理した後に、表示部１５１に映像データを、音声出力部１５２に音声データを出力する。
【００４８】
図２を参照して、検知部１１から通知されるリモコン操作信号と、タイマ部１２１で計測される時間とに基づいて、制御部１２がコンテンツ出力部１５を制御する方法の一例を説明する。具体的には、制御部１２は、検知部１１によってユーザの操作が検知されない時間が長くなる程、コンテンツ出力部１５から出力される視聴候補コンテンツの情報量を段階的に増加させる。
【００４９】
（ステップＳ２００１）状態管理部１２２は、タイマ部１２１から通知される所定の時間が経過したことを示す信号（以下「タイムアウト信号」と表記する）、又は検知部１１から通知されるリモコン操作信号を監視する。そして、状態管理部１２２は、上記のいずれかを検知した場合（ステップＳ２００１でＹＥＳ）はステップＳ２００２に進み、検知しない場合（ステップＳ２００１でＮＯ）はステップＳ２００１に戻って監視を継続する。
【００５０】
（ステップＳ２００２）次に、状態管理部１２２は、ステップＳ２００１で検知した情報が、タイマ部１２１から通知されたタイムアウト信号の場合（ステップＳ２００２でＹＥＳ）は、ステップＳ２００３に進み、検知部１１から通知されるリモコン操作信号の場合（ステップＳ２００２でＮＯ）は、ステップＳ２００４に進む。
【００５１】
（ステップＳ２００３）状態管理部１２２は、現在記憶している状態を遷移条件Ａで状態遷移させると共に、遷移後の状態を記憶し、ステップＳ２００５に進む。また、本ステップにおいて状態を遷移する際に、タイマ部１２１で再度タイマ監視が開始される。
【００５２】
ここで、遷移条件Ａは、前回記憶した状態に対して、ＴＶ放送コンテンツ以外のコンテンツ（すなわち、視聴候補コンテンツ）の情報量（画面数等に対応する）を増加させるように状態遷移させるための条件である。
【００５３】
（ステップＳ２００４）状態管理部１２２は、現在記憶している状態を遷移条件Ｂで状態遷移させると共に、遷移後の状態を記憶し、ステップＳ２００５に進む。また、本ステップにおいて状態を遷移する際に、タイマ部１２１で計測されている時刻は一旦クリアされ、再度タイマ監視が開始される。
【００５４】
ここで、遷移条件Ｂは、前回記憶した状態に対して、初期状態、すなわち、視聴中コンテンツのみの状態に戻すための条件である（前回記憶した状態が初期状態の場合は、初期状態を継続するものとする）。又は、遷移条件Ｂは、前回記憶した状態に対してＴＶ放送コンテンツ以外のコンテンツ（すなわち、視聴候補コンテンツ）の情報量（画面数等に対応する）を減少させるように状態遷移させるための条件としても良い。
【００５５】
（ステップＳ２００５）次に、表示／音声制御部１２３は、ステップＳ２００３、ステップＳ２００４で決定された状態に基づいて、表示部１５１に表示される画面の情報と、音声出力部１５２から出力される音声の情報とを映像音声処理部１６に通知する。そして、映像音声処理部１６は、放送受信部１３１で取得された視聴中コンテンツと、ＮＷコンテンツ受信部１３２で取得された視聴候補コンテンツとを、表示／音声制御部１２３から通知された状態になるように処理し、表示部１５１に映像データを、音声出力部１５２に音声データを出力する。
【００５６】
ここで、ステップＳ２００３、ステップＳ２００４では、メモリ等に記憶されている現在の状態を読み出し、それぞれ異なる条件で遷移させ、遷移後の状態を再度メモリ等に記憶させる。メモリの具体例は特に限定されないが、例えば、ＤＲＡＭ（Ｄｙｎａｍｉｃ  Ｒａｎｄｏｍ  Ａｃｃｅｓｓ  Ｍｅｍｏｒｙ）、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、フラッシュメモリ、強誘電体メモリ等のデータを記録可能な手段であればどのようなものを利用しても構わない。
【００５７】
次に、図３を参照して、実施の形態１に係るコンテンツ処理装置１０が状態遷移に基づいて出力する画面（出力例）の一例について説明する。
【００５８】
出力例３０１は、表示部１５１の全画面にＴＶ放送コンテンツ（視聴中コンテンツ）のみを出力している状態の画面構成のイメージ図である。出力例３０２は、画面数が２画面の構成となり、１つの子画面がＴＶ放送コンテンツ（視聴中コンテンツ）を、他の１つの子画面がＴＶ放送コンテンツ以外のコンテンツ（視聴候補コンテンツ）を出力している状態の画面構成のイメージ図である。出力例３０３は、画面数が３画面の構成となり、１つの子画面がＴＶ放送コンテンツ（視聴中コンテンツ）を、他の２つの子画面がＴＶ放送コンテンツ以外のコンテンツ（視聴候補コンテンツ）を出力している状態の画面構成のイメージ図である。出力例３０４は、画面数が４画面の構成となり、１つの子画面がＴＶ放送コンテンツ（視聴中コンテンツ）を、他の３つの子画面がＴＶ放送コンテンツ以外のコンテンツ（視聴候補コンテンツ）を出力している状態の画面構成のイメージ図である。
【００５９】
つまり、出力例３０１は、視聴候補コンテンツの情報量（画面数）が最も少ない状態を示している。そして、出力例３０２、出力例３０３、及び出力例３０４となるに従って、段階的に視聴候補コンテンツの情報量（画面数）が増加している。この出力例３０１〜３０４を用いて表示制御を行う場合、制御部１２は、入力操作検知部１１１によってユーザの操作が検知されない時間が長くなる程、コンテンツ出力部１５から出力される視聴候補コンテンツの数を段階的に増加させる。
【００６０】
次に、図４及び図５を参照して、実施の形態１に係るコンテンツ処理装置１０が状態遷移に基づいて出力する画面の一例を説明する。
【００６１】
図４では、リモコン操作なく所定の時間が経過したことによって、図２で説明したステップＳ２００３の遷移条件Ａを満たし、図３に示す出力例３０１、出力例３０２、出力例３０３、出力例３０４の順で状態が遷移していることを示している。
【００６２】
まず、初期状態として、表示部１５１には、ＴＶ放送コンテンツ（視聴中コンテンツ）のみが表示されている。この状態で、入力操作検知部１１１で所定の時間操作が検出されなかったことを示すタイマ（以下「無操作タイマ」と表記する）がタイムアウトすると（図２のステップＳ２００２でＹＥＳ）、遷移条件Ａに従って出力例３０１から出力例３０２へと遷移する。すなわち、ＴＶ放送コンテンツのみが表示されていた状態から、１つの子画面がＴＶ放送コンテンツを、他の１つの子画面がＴＶ放送コンテンツ以外のコンテンツを出力している状態に遷移する。
【００６３】
さらに、無操作タイマがタイムアウトすると、遷移条件Ａに従って出力例３０２から出力例３０３へと遷移する。さらに、無操作タイマがタイムアウトすると、遷移条件Ａに従って出力例３０３から３０４へと遷移する。
【００６４】
このように、ユーザのリモコン操作がない場合は、所定の時間が経過する度に（遷移条件Ａに該当するため）、ＴＶ放送コンテンツ以外のコンテンツの情報量を段階的に増やしている。このようにすることで、ユーザがリモコン操作をしてから所定の時間が経過するまではユーザが操作した内容の画面を全画面で見られるため、視聴を妨げられることはない。
【００６５】
一方で、ユーザが操作をした後に所定の時間が経過しても再度リモコン操作が入力されない場合は、ユーザがＴＶに対して積極的な行動を起こしていない、すなわち、ユーザのＴＶ放送コンテンツに対する関心度が低下してきていると判断して、ＴＶ放送コンテンツ以外のコンテンツの情報量を増やす。実施の形態１においては、具体的にはＴＶ放送コンテンツ以外のコンテンツの画面数を増やす。
【００６６】
図５では、リモコン操作なく所定の時間が経過したことによる状態遷移（遷移条件Ａ）と、リモコン操作を検出したことによる状態遷移（遷移条件Ｂ）とが交互に発生していることを示している。
【００６７】
まず、初期状態として、表示部１５１には、ＴＶ放送コンテンツ（視聴中コンテンツ）のみが表示されている。この状態で無操作タイマがタイムアウトすると（図２のステップＳ２００２でＹＥＳ）、遷移条件Ａに従って出力例３０１から出力例３０２へと遷移する。すなわち、ＴＶ放送コンテンツのみが表示されていた状態から、１つの子画面がＴＶ放送コンテンツを、他の１つの子画面がＴＶ放送コンテンツ以外のコンテンツを出力している状態に遷移する。
【００６８】
次に、ユーザのリモコン操作を検出すると（図２のステップＳ２００４でＮＯ）、遷移条件Ｂに従って出力例３０２から初期の画面状態である出力例３０１へと遷移し、全画面でＴＶ放送コンテンツが出力される。このとき無操作タイマはリセットされる。
【００６９】
そして、再び所定の時間内にリモコン操作がされないため、遷移条件Ａに従って出力例３０１から出力例３０２へと遷移する。すなわち、ＴＶ放送コンテンツのみが表示されている状態から、１つの子画面がＴＶ放送コンテンツを、他の１つの子画面がＴＶ放送コンテンツ以外のコンテンツを出力している状態に遷移する。
【００７０】
上記のようにすることで、ユーザの視聴状態として、ＴＶ放送コンテンツそのものに関心があるために、リモコンでチャンネル変更や音量変更等を所定の時間内に継続して操作している場合は、ＴＶ放送コンテンツを全画面で継続して視聴可能なため視聴を妨げることはない。
【００７１】
一方、ＴＶに対する操作であるリモコンの操作が所定の時間内に行われない場合は、ユーザのＴＶ放送コンテンツに対する関心度が低下していると考えて、ＴＶ放送コンテンツ以外のコンテンツの情報を段階的に増加させて出力させている。つまり、ユーザがＴＶ放送コンテンツそのものに対しての関心度が低下している場合にのみＴＶ放送コンテンツ以外のコンテンツを提供する機会を与えることになる。このため、ＴＶ放送コンテンツそのものの視聴の妨げとなることは少なく、逆に、ＴＶ放送コンテンツ以外のコンテンツを提供することで、ユーザのＴＶ放送コンテンツ以外のコンテンツに対する関心度を向上させる機会を増加させることが出来る。
【００７２】
その結果、ＴＶ放送コンテンツに対する視聴の妨げを軽減できる形態で自動的にＴＶ放送コンテンツ以外のコンテンツを出力することが可能となり、ユーザの明示的な操作なしにＴＶ放送コンテンツ以外のコンテンツに誘導する機会をユーザに与えることが可能となるという効果を奏する。
【００７３】
（実施の形態１の変形例）
実施の形態１の図３〜図５では、コンテンツ処理装置１０が状態遷移に基づいて出力する画面及び画面の遷移について説明した。次に、図６及び図７を参照して、状態遷移に基づいて、画面に加えて音声の状態をも遷移させるコンテンツ処理装置１０について説明する。
【００７４】
なお、本発明の実施の形態１の変形例においては、図１及び図２に示すコンテンツ処理装置１０の構成および処理動作については、本発明の実施の形態１と同様であるため、ここでは説明を省略する。
【００７５】
図６及び図７を参照して、実施の形態１の変形例に係るコンテンツ処理装置１０が状態遷移に基づいて出力する画面及び音声の一例について説明する。まず、図６は、表示部１５１に表示される画面の構成と、音声出力部１５２から出力される音声データとの組み合わせの例（出力例）を示す図である。
【００７６】
出力例６０１は、表示部１５１にＴＶ放送コンテンツの映像データを出力すると共に、音声出力部１５２にもＴＶ放送コンテンツの音声データを出力している状態の画面構成及び音声出力のイメージ図である。出力例６０２は、表示部１５１に表示される画面数が２画面の構成となり、１つの子画面がＴＶ放送コンテンツを、他の１つの子画面がＴＶ放送コンテンツ以外のコンテンツを画面に出力すると共に、音声出力部１５２からはＴＶ放送コンテンツに対応する画面１の音声を出力している状態の画面構成及び音声出力のイメージ図である。出力例６０３は、表示部１５１の画面構成は出力例６０２と同様であるが、音声出力部１５２からはＴＶ放送コンテンツ以外のコンテンツに対応する画面２の音声を出力している状態の画面構成及び音声出力のイメージ図である。
【００７７】
つまり、出力例６０２と出力例６０３とは、表示部１５１に表示されている情報量は変化しないが、音声出力部１５２から出力される音声データが切り替わることによって、全体としての情報量が変化している。この出力例６０１〜６０３を用いて表示制御を行う場合、制御部１２は、視聴候補コンテンツに含まれる映像データを表示する表示部１５１上の表示面積、又は視聴候補コンテンツに含まれる音声データを音声出力部１５２から出力するか否かを制御する。
【００７８】
次に、図７を参照して、実施の形態１の変形例に係るコンテンツ処理装置１０が状態遷移に基づいて出力する画面及び音声の一例について説明する。
【００７９】
図７では、リモコン操作なく所定の時間が経過したことによる状態遷移（遷移条件Ａ）と、リモコン操作を検出したことによる状態遷移（遷移条件Ｂ）とが発生していることを示している。
【００８０】
まず、初期状態として、表示部１５１には、ＴＶ放送コンテンツ（視聴中コンテンツ）のみが表示されている。また、音声出力部１５２からは、ＴＶ放送コンテンツの音声が出力されている。この状態で無操作タイマがタイムアウトすると（図２のステップＳ２００２でＹＥＳ）、遷移条件Ａに従って出力例６０１から出力例６０２へと遷移する。すなわち、ＴＶ放送コンテンツのみが表示されていた状態から、１つの子画面がＴＶ放送コンテンツを、他の１つの子画面がＴＶ放送コンテンツ以外のコンテンツを出力している状態に遷移する。但し、音声出力部１５２からは継続してＴＶ放送コンテンツの音声が出力される。
【００８１】
さらに、無操作タイマがタイムアウトすると、遷移条件Ａに従って出力例６０２から出力例６０３へと遷移する。すなわち、表示部１５１の画面構成は変化しないが、音声出力部１５２がＴＶ放送コンテンツの音声を出力する状態からＴＶ放送コンテンツ以外のコンテンツの音声を出力する状態に遷移する。
【００８２】
次に、ユーザのリモコン操作を検出すると（図２のステップＳ２００４でＮＯ）、遷移条件Ｂに従って出力例６０３から初期状態である出力例６０１へと遷移する。すなわち、ＴＶ放送コンテンツの映像データが表示部１５１に全画面表示されると共に、ＴＶ放送コンテンツの音声が音声出力部１５２から出力される。
【００８３】
ここで、図６及び図７においては簡単のために３つの状態を用いて説明したが、上記に限るものではない。画面数に関して言えば、さらに画面数を増やしても良いし、音声もＴＶ放送コンテンツ以外の他のコンテンツの音声を出力しても良いし、多重化した音声を出力しても良い。例えば、表示部１５１上に表示される映像データの表示面積が最も大きいコンテンツに含まれる音声データを、音声出力部１５２から出力するようにしてもよい。
【００８４】
また、図６及び図７の説明では、画面構成または音声の一方のみしか状態が遷移していないが、両方を同時に遷移させても良く、ＴＶ放送コンテンツとＴＶ放送コンテンツ以外のコンテンツとの情報量が変わる状態であれば何でもよい。
【００８５】
以上の構成で、ユーザがリモコン操作をしてから所定の時間が経過するまではユーザが操作した内容の画面を全画面で見られるため、視聴を妨げられることはない。一方で、ユーザが操作をした後に所定の時間が経過しても再度リモコン操作が入力されない場合は、ユーザがＴＶに対して積極的な行動を起こしていないため、ユーザのＴＶ放送コンテンツに対する関心度が低下してきていると判断して、ＴＶ放送コンテンツ以外のコンテンツの情報量を増やす。
【００８６】
実施の形態１の変形例においては、具体的にはＴＶ放送コンテンツ以外のコンテンツの画面数を増やすと共に、出力する音声をＴＶ放送コンテンツ以外のコンテンツの音声に切替えている。そのため、実施の形態１に比べ、音声もＴＶ放送コンテンツ以外のコンテンツを提供することで、ユーザのＴＶ放送コンテンツ以外のコンテンツに対する関心度を向上させる機会を増加させることが出来る。
【００８７】
その結果、ＴＶ放送コンテンツに対する視聴の妨げを軽減できる形態で自動的にＴＶ放送コンテンツ以外のコンテンツを出力することが可能となる。つまり、ユーザの明示的な操作なしに、ＴＶ放送コンテンツ以外のコンテンツの画面に加えて音声も出力するため、ユーザをＴＶ放送コンテンツ以外のコンテンツにより誘導する機会を与えることが可能となるという効果を奏する。
【００８８】
（実施の形態２）
実施の形態１及びその変形例では、コンテンツ処理装置１０がユーザのリモコン操作無しに所定の時間が経過（タイムアウト）すると、タイムアウトしたタイミングで状態を遷移する構成について説明した。実施の形態２においては、図８及び図９を参照して、リモコン操作が無い場合において、ＴＶ放送コンテンツの番組の切替わりのタイミングで状態を遷移させるコンテンツ処理装置２０について説明する。
【００８９】
図８は、実施の形態２に係るコンテンツ処理装置２０の概要を説明するためのブロック図である。なお、実施の形態１のコンテンツ処理装置１０と同様の構成を有する部分については、同一符号を付してその説明を省略する。
【００９０】
図８において、実施の形態２に係るコンテンツ処理装置２０は、実施の形態１に係るコンテンツ処理装置１０の構成に加えて、検知部１１にコンテンツ情報検知部１１２を備える構成となっている。また、実施の形態２に係る状態管理部１２４は、実施の形態１に係る状態管理部１２２と、具体的な動作が異なる。
【００９１】
コンテンツ情報検知部１１２は、例えば、番組（コンテンツ）の終了または開始にあたる番組の切れ目を検出し、検知部１１を介して状態管理部１２４に通知する。上記の番組終了または開始の情報は、例えば、ＥＰＧ（Ｅｌｅｃｔｒｏｎｉｃ  Ｐｒｏｇｒａｍ  Ｇｕｉｄｅ）、ＥＰＧを作成する際に利用される番組の名称、放送日時、放送内容など、番組に関連する情報が含まれるＥＩＴ（Ｅｖｅｎｔ  Ｉｎｆｏｒｍａｔｉｏｎ  Ｔａｂｌｅ）、ＴＳパケットのＰＩＤ（パケット識別情報）などを利用して検出可能である。
【００９２】
実施の形態２の以降では、コンテンツ情報検知部１１２は番組の終了を検知することとして説明するが、番組の終了のみに限るものではなく、番組の開始など番組の切替わりや切れ目の情報を検知してもよい。また、コンテンツ情報検知部１１２が取得した情報を元にタイマ部１２１が所定の時間を計測することで状態を遷移する構成としても良い。
【００９３】
状態管理部１２４は、検知部１１から通知されるユーザからのリモコン操作信号と、コンテンツ情報検知部１１２が検知部１１を介して通知する番組状態の情報とを元に、出力する表示画面及び音声の状態の変更及び管理を行う。より具体的には、制御部１２は、所定の時間、入力操作検知部１１１でユーザからの入力操作が検知されなかった場合において、コンテンツ情報検知部１１２で取得された視聴中コンテンツが終了するタイミングで、コンテンツ出力部１５から出力される視聴候補コンテンツの情報量を増加させる。
【００９４】
この構成により、実施の形態１に係るコンテンツ処理装置１０においては所定の時間が経過したタイミングで遷移させていた状態を、実施の形態２に係るコンテンツ処理装置２０においては番組の終了タイミングで状態を遷移する構成となる。
【００９５】
以下、図９を参照して、制御部１２が検知部１１から通知されるリモコン操作の情報及び番組終了の情報に基づいて、状態を変更する方法の一例を説明する。
【００９６】
（ステップＳ９００１）状態管理部１２４は、検知部１１から通知されるリモコン操作の情報または番組終了の情報を監視する。そして、状態管理部１２４は、上記のいずれかを検知した場合（ステップＳ９００１でＹＥＳ）はステップＳ９００２に進み、検知しない場合（ステップＳ９００１でＮＯ）はステップＳ９００１に戻って監視を継続する。
【００９７】
なお、「番組終了の情報」は、番組が現実に終了したタイミングでコンテンツ情報検知部１１２から通知されるものとして説明するが、他の方法で取得してもよい。例えば、番組の視聴開始時等に取得したＥＰＧ等に基づいて、タイマ部１２１で番組の終了をタイマ監視しておき、当該タイマのタイムアウトを示す情報を「番組終了の情報」として取得してもよい。
【００９８】
（ステップＳ９００２）次に、状態管理部１２４は、ステップＳ９００１で検知した情報が、コンテンツ情報検知部１１２で検知され、検知部１１を通じて通知された番組終了の場合（ステップＳ９００２でＹＥＳ）は、ステップＳ９００３に進み、検知部１１から通知されるリモコン操作の情報の場合（ステップＳ９００２でＮＯ）は、ステップＳ９００５に進む。
【００９９】
（ステップＳ９００３）次に、状態管理部１２４は、現在までの所定の時間内に、入力操作検知部１１１によってユーザによるリモコン操作が検知されたか否かを判断する。そして、リモコン操作を検知しなかった場合（ステップＳ９００３でＮＯ）はステップＳ９００４に進み、リモコン操作を検知した場合（ステップＳ９００３でＹＥＳ）はステップＳ９００５に進む。なお、リモコン操作の有無を監視する「所定の時間内」の具体例として、例えば、ステップＳ９００２で終了したコンテンツの視聴時間中としてもよい。
【０１００】
（ステップＳ９００４）状態管理部１２４は、現在記憶している状態を遷移条件Ａで状態遷移させると共に、遷移後の状態を記憶し、ステップＳ９００５に進む。また、本ステップにおいて状態を遷移する際に、タイマ部１２１で再度タイマ監視が開始される。
【０１０１】
ここで、遷移条件Ａは、前回記憶した状態に対して、ＴＶ放送コンテンツ以外のコンテンツの情報量（画面数や出力する音声に対応する）を増加させるように状態を遷移させるための条件である。
【０１０２】
（ステップＳ９００５）状態管理部１２４は、現在記憶している状態を遷移条件Ｂで状態遷移させると共に、遷移後の状態を記憶し、ステップＳ９００５に進む。また、本ステップにおいて状態を遷移する際に、タイマ部１２１で計測されている時刻は一旦クリアされ、再度タイマ監視が開始される。
【０１０３】
ここで、遷移条件Ｂは、前回記憶した状態に対して、初期状態に戻すための条件である（前回記憶した状態が初期状態の場合は、初期状態を継続するものとする）。又は、遷移条件Ｂは、前回記憶した状態に対して、ＴＶ放送コンテンツ以外の放送の情報量（画面数や出力する音声に対応する）を減少させるように状態を遷移させるための条件としても良い。
【０１０４】
ここで、ステップＳ９００４及びステップＳ９００５では、メモリ等に記憶されている状態を読み出し、それぞれ異なる条件で遷移させ、遷移後の状態を再度記憶させる。
【０１０５】
（ステップＳ９００６）次に、表示／音声制御部１２３は、ステップＳ９００４、ステップＳ９００５で決定された状態に基づいて、表示部１５１に表示される画面の情報と、音声出力部１５２から出力される音声の情報とを映像音声処理部１６に通知する。そして、映像音声処理部１６は、放送受信部１３１で取得された視聴中コンテンツと、ＮＷコンテンツ受信部１３２で取得された視聴候補コンテンツとを、表示／音声制御部１２３から通知された状態になるように処理し、表示部１５１に映像データを、音声出力部１５２に音声データを出力する。
【０１０６】
次に、コンテンツ処理装置２０が状態遷移に基づいて出力する画面及び音声の状態とその遷移に関しては、実施の形態１の図３〜図７で説明したものと同様である。つまり、遷移条件Ａを満たして状態遷移するタイミングが、コンテンツ処理装置１０では所定の時間が経過したタイミングであるのに対して、コンテンツ処理装置２０では番組が終了したタイミングであることが異なるのみで、それ以外は同一のため説明は省略する。
【０１０７】
上記のようにすることで、ユーザの視聴状態として、ＴＶ放送コンテンツそのものに関心があるために、リモコンでチャンネル変更や音量変更等を所定の時間内に継続して操作している場合は、ＴＶ放送コンテンツを全画面で継続して視聴可能なため視聴を妨げることはない。
【０１０８】
また、実施の形態２では出力する状態の遷移は、番組の終了を契機に実施されるため、視聴中の番組の表示画面は同一番組視聴中に変更されることはなく、視聴の妨げをより防止することが可能となるという効果を奏する。
【０１０９】
一方、ＴＶに対する操作であるリモコンの操作が所定の時間内に行われない場合は、ユーザのＴＶ放送コンテンツに対する関心度が低下していると考えて、ＴＶ放送コンテンツ以外のコンテンツの情報を段階的に増加させている。つまり、ＴＶ放送コンテンツそのものに対してのユーザの関心度が低下している場合にのみＴＶ放送コンテンツ以外のコンテンツを提供する機会を与えることになる。このため、ＴＶ放送コンテンツそのものの視聴の妨げとなることは少なく、逆に、ＴＶ放送コンテンツ以外のコンテンツを提供することでユーザのＴＶ放送コンテンツ以外のコンテンツに対する関心度を向上させる機会を増加させることが出来ることは、実施の形態１と同様である。
【０１１０】
その結果、視聴中の番組終了までは状態が変化しないため、視聴しているＴＶ放送コンテンツに対する視聴の妨げをより軽減できる形態で自動的にＴＶ放送コンテンツ以外のコンテンツを出力することが可能となる。その結果、ユーザの明示的な操作なしにＴＶ放送コンテンツ以外のコンテンツに誘導する機会をユーザに与えることが可能となるという効果を奏する。
【０１１１】
（実施の形態３）
図１０を参照して、センサから得られる情報に基づいて状態を遷移するコンテンツ処理装置３０について説明する。
【０１１２】
図１０は、実施の形態３に係るコンテンツ処理装置３０の概要を説明するためのブロック図である。なお、実施の形態１のコンテンツ処理装置１０と同様の構成を有する部分については、同一符号を付してその説明を省略する。
【０１１３】
図１０において、実施の形態３に係るコンテンツ処理装置３０は、実施の形態１におけるコンテンツ処理装置１０の構成に加えて、検知部１１にユーザ検知部１１３を備える構成となっている。また、実施の形態３に係る状態管理部１２５は、実施の形態１に係る状態管理部１２２と具体的な動作が異なる。
【０１１４】
ユーザ検知部１１３は、例えば、コンテンツ処理装置３０の周辺に存在するユーザを検知することによって、当該ユーザを視聴中コンテンツに興味を持っているユーザであると検出する人感センサである。
【０１１５】
人感センサは、典型的には、コンテンツ処理装置３０を中心とする半径数メートルの円の中にいる人を、より典型的には、この円の内部のうち、表示部１５１が見える範囲内にいる人を、視聴中コンテンツに興味を持っているユーザであると検出する。
【０１１６】
状態管理部１２５は、検知部１１から通知されるユーザからのリモコン操作情報と、ユーザ検知部１１３が検知部１１を介して通知するセンサ情報とを元に、出力する表示画面及び音声の状態の変更及び管理を行う。より具体的には、制御部１２は、所定の時間、ユーザ検知部１１３でユーザの存在が検出されなかった場合に、コンテンツ出力部１５から出力される視聴候補コンテンツの情報量を増加させる。
【０１１７】
この構成により、実施の形態１のコンテンツ処理装置１０においては所定の時間が経過することで遷移させていた状態を、実施の形態３のコンテンツ処理装置３０においてはセンサから得られる情報に基づいて状態を遷移する構成となる。
【０１１８】
上記の構成にすることで、例えば、センサとして人感センサを用いた場合は、人感センサが人を検知しない時間をタイマ部１２１と連動して計測し、その計測結果を実施の形態１で説明した所定の時間として扱うことが可能となる。その結果、人感センサで人が検知されない時間は、ユーザはＴＶを視聴していないと判断することができる。すなわち、視聴しているＴＶ放送コンテンツに対する視聴の妨げない形態で自動的にＴＶ放送コンテンツ以外のコンテンツを出力することがより有用となるという効果を奏する。
【０１１９】
なお、ユーザ検知部１１３は人感センサ以外のセンサであってもよい。例えば、コンテンツ処理装置３０の周辺に存在するユーザの視線を検出する視線検出センサであってもよいし、コンテンツ処理装置３０の周囲に存在するユーザのジェスチャを検出するジェスチャ検出センサであってもよい。
【０１２０】
例えば、ユーザ検知部１１３が視線検出センサである場合、コンテンツ処理装置３０は、さらに撮像部（カメラ）を備えてもよい。この撮像部は、表示部１５１が見える領域の映像を撮像する。視線検出センサとして動作するユーザ検知部１１３は、撮像部で撮像された映像からユーザを抽出し、抽出したユーザの視線を検出する。そして、ユーザ検知部１１３は、検出した視線が表示部１５１を向いている場合に、当該ユーザが表示部１５１に表示されている視聴中コンテンツに興味を持っていると推定するようにしてもよい。
【０１２１】
また、ユーザ検知部１１３がジェスチャ検出センサである場合にも、コンテンツ処理装置３０は、上記と同様の撮像部を備えてもよい。ジェスチャ検出センサとして動作するユーザ検知部１１３は、撮像部で撮像された映像からユーザを抽出し、抽出したユーザのジェスチャを検出する。そして、ユーザ検知部１１３は、抽出したユーザが所定のジェスチャをしている場合に、当該ユーザが表示部１５１に表示されている視聴中コンテンツに興味を持っていると推定するようにしてもよい。
【０１２２】
ここで、所定のジェスチャとは、例えば、コンテンツ処理装置３０がリモコンに代えて、ジェスチャで制御（チャンネル又はボリュームの変更等）可能な場合には、コンテンツ処理装置３０を制御するためのジェスチャであってもよいが、これに限定されない。
【０１２３】
（その他の実施の形態）
なお、実施の形態１〜３に係るコンテンツ処理装置１０、２０、３０のコンテンツ出力部１５の出力態様は、図３〜図７で説明したものに限るものではなく、例えば、図１１又は図１２のような出力態様であってもよい。
【０１２４】
図１１は、画面数が増加するだけではなく画面毎の表示領域を変更する例である。図６に示される出力例３０１〜３０４では、全ての子画面の大きさが同一である例を示したが、図１１に示される出力例１１０１、１１０２、１１０３、１１０４では、状態によって子画面の大きさが異なっている。
【０１２５】
より具体的には、出力例１１０２では、画面１（視聴中コンテンツの表示面積）が、画面２（視聴候補コンテンツの表示面積）より大きい。一方、出力例１１０３、１１０４では、画面１（視聴中コンテンツの表示面積）が、画面２（視聴候補コンテンツの表示面積）より小さい。
【０１２６】
図１２は、画面のなかに他の画面を配置する構成の例である。より具体的には、画面１（視聴中コンテンツの表示面積）は、出力例１２０１、１２０２、１２０３、１２０４の全てにおいて同一（全画面表示）である。しかしながら、出力例１２０２、１２０３、１２０４では、画面２、３、４が画面１に重畳して表示されるので、視聴候補コンテンツを表示する子画面の数が多くなる程、視聴中コンテンツの可視領域が小さくなっている。このように、ＴＶ放送コンテンツとＴＶ放送コンテンツ以外のコンテンツとが多重化されて表示されることで、ＴＶ放送コンテンツ以外のコンテンツをユーザーが視聴するきっかけとなればよい。
【０１２７】
なお、本発明を上記実施の形態に基づいて説明してきたが、本発明は、上記の実施の形態に限定されないのはもちろんである。以下のような場合も本発明に含まれる。
【０１２８】
上記の各装置は、具体的には、マイクロプロセッサ、ＲＯＭ、ＲＡＭ、ハードディスクユニット、ディスプレイユニット、キーボード、マウスなどから構成されるコンピュータシステムである。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１２９】
上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成要素を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶さている。マイクロプロセッサが、コンピュータプログラムにしたがって動作することにより、システムＬＳＩは、その機能を達成する。
【０１３０】
上記の各装置を構成する構成要素の一部または全部は、各装置に脱着可能なＩＣカードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。マイクロプロセッサが、コンピュータプログラムにしたがって動作することにより、ＩＣカードまたはモジュールは、その機能を達成する。このＩＣカードまたはこのモジュールは、耐タンパ性を有するとしてもよい。
【０１３１】
本発明は、上記に示す方法であるとしてもよい。また、これらの方法をコンピュータにより実現するコンピュータプログラムであるとしてもよいし、コンピュータプログラムからなるデジタル信号であるとしてもよい。
【０１３２】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されているデジタル信号であるとしてもよい。
【０１３３】
また、本発明は、コンピュータプログラムまたはデジタル信号を、電気通信回線、無線または有線通信回線、インターネットを代表とするネットワーク、データ放送等を経由して伝送するものとしてもよい。
【０１３４】
また、本発明は、マイクロプロセッサとメモリを備えたコンピュータシステムであって、メモリは、上記コンピュータプログラムを記憶しており、マイクロプロセッサは、コンピュータプログラムにしたがって動作するとしてもよい。
【０１３５】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０１３６】
上記実施の形態及び上記変形例をそれぞれ組み合わせてもよい。
【０１３７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【０１３８】
本発明による、ユーザのＴＶに対する関心度を考慮し、視聴の妨げを軽減できる形態で自動的にＴＶ放送とＴＶ放送以外のコンテンツの出力状態を自動で切替えて提供することが可能なコンテンツ処理装置の出力制御方法は、主に、ＴＶ等のＡＶ機器に用いられるが、本発明の出力制御方法は、異なる２つ以上のコンテンツを取得可能な装置であれば応用可能であり、一般の通信機器等においても応用可能である。
【符号の説明】
【０１３９】
１                        テレビジョン受像機
２                        ＢＤレコーダ
１０，２０，３０          コンテンツ処理装置
１１                      検知部
１２                      制御部
１３                      コンテンツ取得部
１４                      送受信部
１５                      コンテンツ出力部
１６                      映像音声処理部
１１１                    入力操作検知部
１１２                    コンテンツ情報検知部
１１３                    ユーザ検知部
１２１                    タイマ部
１２２，１２４，１２５    状態管理部
１２３                    表示／音声制御部
１３１                    放送受信部
１３２                    ＮＷコンテンツ受信部
１５１                    表示部
１５２                    音声出力部
３０１，３０２，３０３，３０４，６０１，６０２，６０３，１１０１，１１０２，１１０３，１１０４，１２０１，１２０２，１２０３，１２０４  出力例
【図１】
2011152014.tif 000003
【図２】
2011152014.tif 000004
【図３】
2011152014.tif 000005
【図４】
2011152014.tif 000006
【図５】
2011152014.tif 000007
【図６】
2011152014.tif 000008
【図７】
2011152014.tif 000009
【図８】
2011152014.tif 000010
【図９】
2011152014.tif 000011
【図１０】
2011152014.tif 000012
【図１１】
2011152014.tif 000013
【図１２】
2011152014.tif 000014
【図１３】
2011152014.tif 000015
【手続補正書】
【提出日】平成23年10月5日(2011.10.5)
【手続補正１】
【補正対象書類名】特許請求の範囲
【補正対象項目名】全文
【補正方法】変更
【補正の内容】
【特許請求の範囲】
【請求項１】
コンテンツを出力するコンテンツ処理装置であって、
ユーザによって選択された第１のソースから視聴中コンテンツを取得し、前記第１のソースと異なる第２のソースから視聴候補コンテンツを取得するコンテンツ取得部と、
少なくとも前記視聴中コンテンツを出力するコンテンツ出力部と、
前記視聴中コンテンツに興味を持っていると推定されるユーザを検知する検知部と、
前記検知部によって前記視聴中コンテンツに興味を持っていると推定されるユーザが検知されない時間が長くなると、前記コンテンツ出力部から出力される前記視聴候補コンテンツの情報量を増加させる制御部とを備える
コンテンツ処理装置。
【請求項２】
前記検知部は、ユーザからの入力操作を検知することによって、前記視聴中コンテンツに興味を持っていると推定されるユーザを検知する入力操作検知部を含み、
前記制御部は、所定の時間、前記入力操作検知部でユーザからの入力操作が検知されなかった場合に、前記コンテンツ出力部から出力される前記視聴候補コンテンツの情報量を増加させる
請求項１に記載のコンテンツ処理装置。
【請求項３】
前記検知部は、さらに、前記視聴中コンテンツが終了するタイミングを検知するコンテンツ情報検知部を含み、
前記制御部は、所定の時間、前記入力操作検知部でユーザからの入力操作が検知されなかった場合において、前記コンテンツ情報検知部で取得された前記視聴中コンテンツが終了するタイミングで、前記コンテンツ出力部から出力される前記視聴候補コンテンツの情報量を増加させる
請求項２に記載のコンテンツ処理装置。
【請求項４】
前記検知部は、該コンテンツ処理装置の周辺に存在するユーザを検出することによって、前記視聴中コンテンツに興味を持っていると推定されるユーザを検知するユーザ検知部を含み、
前記制御部は、所定の時間、前記ユーザ検知部でユーザの存在が検出されなかった場合に、前記コンテンツ出力部から出力される前記視聴候補コンテンツの情報量を増加させる
請求項１に記載のコンテンツ処理装置。
【請求項５】
前記コンテンツ取得部は、複数の前記視聴候補コンテンツを取得し、
前記制御部は、前記検知部によって前記視聴中コンテンツに興味を持っていると推定されるユーザが検知されない時間が長くなる程、前記コンテンツ出力部から出力される前記視聴候補コンテンツの数を段階的に増加させる
請求項１〜４のいずれか１項に記載のコンテンツ処理装置。
【請求項６】
前記コンテンツ出力部は、前記コンテンツに含まれる映像データを表示する表示部と、前記コンテンツに含まれる音声データを出力する音声出力部とを含み、
前記制御部は、前記視聴候補コンテンツに含まれる映像データを表示する前記表示部上の表示面積、又は前記視聴候補コンテンツに含まれる音声データを前記音声出力部から出力するか否かを制御する
請求項１〜５のいずれか１項に記載のコンテンツ処理装置。
【請求項７】
前記制御部は、前記表示部上に表示される映像データの表示面積が最も大きいコンテンツに含まれる音声データを、前記音声出力部から出力させる
請求項６に記載のコンテンツ処理装置。
【請求項８】
前記コンテンツ取得部は、前記視聴中コンテンツに含まれるメタ情報に基づいて、取得すべき前記視聴候補コンテンツを選択する
請求項１〜７のいずれか１項に記載のコンテンツ処理装置。
【請求項９】
コンテンツを出力するコンテンツ処理装置であって、
ユーザによって選択された第１のソースから視聴中コンテンツを取得し、前記第１のソースと異なる第２のソースから視聴候補コンテンツを取得するコンテンツ取得部と、
少なくとも前記視聴中コンテンツを出力するコンテンツ出力部と、
ユーザからの入力操作を検知する入力操作検知部と、
所定の時間、前記入力操作検知部でユーザからの入力操作が検知されなかった場合に、前記コンテンツ出力部から出力される前記視聴候補コンテンツの情報量を増加させる制御部とを備える
コンテンツ処理装置。
【請求項１０】
コンテンツを出力するコンテンツ処理装置であって、
ユーザによって選択された第１のソースから視聴中コンテンツを取得し、前記第１のソースと異なる第２のソースから視聴候補コンテンツを取得するコンテンツ取得部と、
少なくとも前記視聴中コンテンツを出力するコンテンツ出力部と、
該コンテンツ処理装置の周辺に存在するユーザを検出するユーザ検知部と、
所定の時間、前記ユーザ検知部でユーザの存在が検出されなかった場合に、前記コンテンツ出力部から出力される前記視聴候補コンテンツの情報量を増加させる制御部とを備える
コンテンツ処理装置。
【請求項１１】
請求項１〜１０のいずれか１項に記載のコンテンツ処理装置を備えるテレビジョン受像機であって、
前記コンテンツ取得部は、
放送波を通じてコンテンツを取得する放送受信部と、
通信ネットワークを通じてコンテンツを取得するネットワークコンテンツ受信部とを含む
テレビジョン受像機。
【請求項１２】
コンテンツ処理装置がコンテンツを出力するコンテンツ処理方法であって、
前記コンテンツ処理装置がユーザによって選択された第１のソースから視聴中コンテンツを取得し、前記コンテンツ処理装置が前記第１のソースと異なる第２のソースから視聴候補コンテンツを取得するコンテンツ取得ステップと、
前記コンテンツ処理装置が、少なくとも前記視聴中コンテンツを出力するコンテンツ出力ステップと、
前記コンテンツ処理装置が、前記視聴中コンテンツに興味を持っていると推定されるユーザを検知する検知ステップと、
前記コンテンツ処理装置が、前記検知ステップによってユーザが検知されない時間が長くなると、前記コンテンツ出力ステップで出力される前記視聴候補コンテンツの情報量を増加させる制御ステップとを含む
コンテンツ処理方法。
【手続補正２】
【補正対象書類名】明細書
【補正対象項目名】００２０
【補正方法】変更
【補正の内容】
【００２０】
本発明の一形態に係るコンテンツ処理方法は、コンテンツ処理装置がコンテンツを出力する方法である。具体的には、前記コンテンツ処理装置がユーザによって選択された第１のソースから視聴中コンテンツを取得し、前記コンテンツ処理装置が前記第１のソースと異なる第２のソースから視聴候補コンテンツを取得するコンテンツ取得ステップと、前記コンテンツ処理装置が、少なくとも前記視聴中コンテンツを出力するコンテンツ出力ステップと、前記コンテンツ処理装置が、前記視聴中コンテンツに興味を持っていると推定されるユーザを検知する検知ステップと、前記コンテンツ処理装置が、前記検知ステップによって前記視聴中コンテンツに興味を持っていると推定されるユーザが検知されない時間が長くなると、前記コンテンツ出力ステップで出力される前記視聴候補コンテンツの情報量を増加させる制御ステップとを含む。
【国際調査報告】
2011152014.tif 000016
2011152014.tif 000017